(57)【要約】 【課題】  伸縮性を有した輪状テープに好きな部位の毛髪を着脱部品で着脱自在に装着することが可能で、着脱部品が直接頭部に接しないよう着脱部品を覆う布片を取り付けたことを特徴とする、異なる種類の帽子やバンダナの内側に装着する部分かつらを提供する。【解決手段】  伸縮性を有した輪状テープ（１）に、着脱部品（５）と着脱部品を覆う布片（６）が取り付けられた後髪つけ毛（２）、前髪つけ毛（３）、拡幅つけ毛（４）を着脱自在に装着することができる内側用部分かつらを提供する。これを使用するときは、伸縮性を有した輪状テープ（１）を伸ばして頭に被り、利用者の好みによって後髪つけ毛（２）や前髪つけ毛（３）、拡幅つけ毛（４）のいずれか一点もしくは複数を組み合わせて装着し、その上に帽子（７）やバンダナ（８）を被る。【選択図】 図１
0003208010.tif 000002
【実用新案登録請求の範囲】
【請求項１】
帽子やバンダナの内側に装着する部分かつらであって、伸縮性を有した輪状テープに着脱部品で着脱自在に毛髪を装着でき、前記着脱部品が布片で覆われていることを特徴とする部分かつら。
【請求項２】
前記毛髪は、前髪つけ毛、後髪つけ毛、拡幅つけ毛があり、それらのうち、いずれか一点もしくは複数を組み合わせて装着されることを特徴とする請求項１記載の部分かつら。
【考案の詳細な説明】
【技術分野】
【０００１】
本考案は、異なる種類の帽子やバンダナの内側に装着する部分かつらに関する。
【背景技術】
【０００２】
髪の毛を失った状態となった人は、かつらを必要とすることが多いが、頭部全体に毛髪を植毛する構成になっている全部かつらは、頭部が蒸れて不快であったり、圧迫感があったり、ずれやすいという欠点がある。
【０００３】
そこで、本考案者は、実用新案登録第３１３０３６３号公報（特許文献１）において、綿素材等でできたヘアバンドやずれにくいリボン又はテープに毛髪を結合した、帽子やバンダナの内側に装着する部分かつらを提案している。
【０００４】
さらに、本考案者は、実用新案登録第３１９１１３６号公報（特許文献２）において、伸縮する輪状テープに結合された後髪つけ毛に非金属製の着脱部品で前髪つけ毛や拡幅つけ毛を着脱自在に装着できる部分かつらを提案している。
【先行技術文献】
【特許文献】
【０００５】
【特許文献１】実用新案登録第３１３０３６３号公報
【特許文献２】実用新案登録第３１９１１３６号公報
【考案の概要】
【考案が解決しようとする課題】
【０００６】
しかしながら、上記特許文献２に記載の考案では、着脱部品を非金属にすることで金属アレルギーの問題を回避できても、頭部に直接着脱部品が当たることで生じる痛みがあるという問題があった。
【０００７】
そこで、特許文献２の考案者である本考案者は、上記の問題点に着目し、頭部に直接着脱部品が接しないよう着脱部品を覆う布片を取り付ける構成を提供する。
【０００８】
さらに、上記特許文献２に記載の考案では、後髪つけ毛を伸縮する輪状テープに結合し、前髪つけ毛や拡幅つけ毛を着脱する構成であり、後髪つけ毛を着脱自在に装着できる構成ではなかった。
【０００９】
そのため、前髪つけ毛だけを装着したい場合や、前髪つけ毛と拡幅つけ毛の組み合わせで装着したい場合があるという利用者の要望に対応できなかった。
【００１０】
そこで、特許文献２の考案者である本考案者は、上記の問題点に着目し、後髪つけ毛を伸縮する輪状テープに結合する構成ではなく、伸縮性を有した輪状テープに好きな部位の毛髪を着脱部品で着脱自在に装着できる構成を提供する。後髪つけ毛、前髪つけ毛、拡幅つけ毛のいずれか一点を装着してもよいし複数を組み合わせて装着してもよい。
【課題を解決するための手段】
【００１１】
本考案に係る内側用部分かつらは  帽子やバンダナの内側に装着する部分かつらであって、伸縮性を有した輪状テープに着脱部品で着脱自在に毛髪を装着でき、前記着脱部品が布片で覆われていることを特徴とする。
【００１２】
本考案において前記毛髪は、前髪つけ毛、後髪つけ毛、拡幅つけ毛があり、それらのうち、いずれか一点もしくは複数を組み合わせて装着されることを特徴とする。
【考案の効果】
【００１３】
本考案によれば、着脱部品を覆う布片を採用することにより、着脱部品が頭部に直接当たらなくなり痛みを軽減できる。また金属アレルギー体質の利用者も装着が可能となる。伸縮性を有した輪状テープに好きな部位の毛髪を着脱自在に装着できることから、利用者は前髪だけがあるスタイルや後ろ髪だけがあるスタイル、前髪と後ろ髪があるスタイルなど様々なスタイルを選択できる。伸縮性を有した輪状テープにベルベットやスエードなどのずれにくい効果がある素材を採用することにより、位置ずれが生じにくく安定した装着状態が得られる。
【図面の簡単な説明】
【００１４】
【図１】本実施形態に係る内側用部分かつらを使用者が着用した様子を示す概念図である。
【図２】着脱部品と着脱部品を覆う布片の構成を説明するための図である。
【図３】（ａ）〜（ｃ）は好きな部位の毛髪を着脱自在に装着できる構成を示す図である。
【考案を実施するための形態】
【００１５】
以下、本考案の実施の形態を図に基づいて説明する。
【実施例】
【００１６】
図１に示されるように、本考案の内側用部分かつら１０は、伸縮性を有した輪状テープ１と、着脱部品５と着脱部品５を覆う布片６が取り付けられた後髪つけ毛２、前髪つけ毛３、拡幅つけ毛４から構成される。
【００１７】
後髪つけ毛２、前髪つけ毛３、拡幅つけ毛４は伸縮性を有した輪状テープ１に着脱部品５で挟んで装着される。
【００１８】
着脱部品５及び着脱部品５を覆う布片６は、後髪つけ毛２、前髪つけ毛３、拡幅つけ毛４の上部で頭部に接する側に取り付けられる。
【００１９】
図２は毛髪のうち、前髪つけ毛３が取り付けられた内側用部分かつら１０を示している。図２に示されるように、着脱部品５を覆う布片６は着脱部品５の上に重なる位置で、着脱部品５と頭部の間に位置するように取り付けられる。布片６の取付け方法は特に限定されないが、図例のものは、その上側端部のみを数か所、着脱部品５の上に被せた状態で、前髪つけ毛３の上端部に縫い付けられている。このように布片６の上方のみを縫い付けることで、布片６の左右側方及び下方側は開放された状態となり、着脱部品５の輪状テープ１への着脱を妨げることがない。
【００２０】
次に内側用部分かつら１０の装着方法及び構成について説明する。
【００２１】
図１に示されるように、利用者が内側用部分かつら１０を利用するには、伸縮性を有した輪状テープ１を伸ばして頭に被り、利用者の好みによって後髪つけ毛２、前髪つけ毛３、拡幅つけ毛４のいずれか一点または複数を組み合わせて装着し、その上に帽子７やバンダナ８を被る。
【００２２】
図２に示されるように、後髪つけ毛２、前髪つけ毛３、拡幅つけ毛４は着脱部品５によって伸縮性を有した輪状テープ１に挟んで装着する。頭部に接する側に着脱部品５を覆う布片６が付いており着脱部品が直接頭部に接しない構成になる。
【００２３】
図３（ａ）〜（ｃ）は、内側用部分かつら１０の使用例を示している。図３（ａ）は、前髪つけ毛３を装着した例、図３（ｂ）は後髪つけ毛２を装着した例、図３（ｃ）は前髪つけ毛３と後髪つけ毛２とを組み合わせた装着例を示している。この図３（ａ）〜（ｃ）に示されるように、利用者の好みによって後髪つけ毛２、前髪つけ毛３、拡幅つけ毛４のいずれか一点または複数を組み合わせて装着することができる。すなわち、図３（ａ）のように例えば前髪つけ毛３だけ装着しても良いし、図３（ｂ）のように後髪つけ毛２だけ装着しても良い。さらには図３（ｃ）のように、後髪つけ毛２と前髪つけ毛３を組み合わせて装着してもよい。そして図には示していないが、拡幅つけ毛４だけを装着しても良く、前髪つけ毛３、後髪つけ毛２と適宜組み合わせて装着してもよい。
【００２４】
また、上記着脱部品５は、図に示すように櫛型の一般的なかつら用ストッパーを採用してもよく、特に限定されない。要は伸縮性を有した輪状テープ１に着脱自在に取り付けられるものであればよい。また着脱部品５の個数も図例に限定されず、適宜、後髪つけ毛２、前髪つけ毛３、拡幅つけ毛４、それぞれの幅に応じて取付けられる。
【００２５】
また、上記着脱部品５の色は、黒色や肌色など、様々な種類の色を提供してもよい。
【００２６】
また、上記着脱部品５を覆う布片６の大きさは、特に限定されないが、縦幅は着脱部品５と同程度の幅で、横幅はつけ毛の幅と同程度の幅としてもよいし着脱部品５と同程度の幅としてもよい。図例の布片６は着脱部品５の形状に合わせて横長方形状にカットした布を使用している。布片６の形状も図例に限定されず、着脱部品５が直接使用者の皮膚に当たらないようにできれば、着脱部品５の一部を布片で覆うようにしてもよい。
【００２７】
また、上記着脱部品５を覆う布片６の厚みは、着脱部品５が肌に当たることを感じにくい厚みで、かつ、頭部とつけ毛が離れすぎない厚み（例えば０．５ｍｍ〜２ｍｍくらい）としてもよい。
【００２８】
また、上記着脱部品５を覆う布片６は、綿素材、フェルトなどの端が解れにくい素材、ベルベットやスエードなどのずれにくい効果がある素材や、繊維に限らずシリコンなどのゴム素材としてもよい。
【００２９】
また、上記着脱部品５を覆う布片６の色は、黒色や肌色など、様々な種類の色を提供してもよい。
【００３０】
また、伸縮性を有した輪状テープ１は、綿素材又はベルベットやスエードなどのずれにくい効果がある素材としてもよいし、色は利用者の肌の色や髪の色に合わせてベージュや黒色にしてもよい。
【００３１】
また、上記伸縮性を有した輪状テープ１の長さは、伸ばさない状態の長さが頭囲よりやや短い長さ（例えば４５ｃｍ〜５５ｃｍくらい）としてもよい。
【００３２】
また、上記伸縮性を有した輪状テープ１の幅は、上に装着する帽子等からはみ出ず、かつ、頭部を圧迫しない幅（例えば１．５ｃｍ〜３ｃｍくらい）としてもよい。
【００３３】
また、上記伸縮性を有した輪状テープ１の伸縮率は１．５倍〜２倍くらい（例えば伸ばさない状態で５０ｃｍである場合に伸ばした状態が８０ｃｍくらい）としてもよい。
【００３４】
また、上記伸縮性を有した輪状テープ１は、一般的なかつら用ストッパーで挟むことができる厚み（例えば０・５ｍｍ〜２ｍｍくらい）としてもよい。
【００３５】
また、上記後髪つけ毛２、前髪つけ毛３、拡幅つけ毛４の毛髪は、ポリエステル、アクリル、塩化ビニル等の化繊、人毛、化繊と人毛を混合したミックス毛としてもよく、その色も、金色、黒色、栗色、茶色、赤色等、特に限定されるものではない。
【００３６】
また、上記後髪つけ毛２、前髪つけ毛３、拡幅つけ毛４の形状は、図例に限定されず、ロング、ミディアム、ショート等、様々な長さのものを適用でき、そのスタイルも、ウェーブ、ボブ、シャギー、巻き髪、ストレート等、あらゆるヘアデザインのものを適用することができる。
【００３７】
また、上記後髪つけ毛２の幅は、片側の耳の後ろからうなじを経由して反対側の耳の後ろまでの長さや、片側のもみあげからうなじを経由して反対側のもみあげまでの長さなど、様々な幅を提供してもよい。
【００３８】
また、上記前髪つけ毛３の幅は、額の幅の長さや、片側のもみあげから額を経由して反対側のもみあげまでの長さなど様々な幅を提供してもよい。
【００３９】
また、上記後髪つけ毛２、前髪つけ毛３、拡幅つけ毛４の毛髪は、毛髪が解けないように上部をほつれ防止加工してもよい。ほつれ防止加工の方法として、毛髪上部を布やネット状の部材で覆っても良いし、毛髪裏面を布やネット状の部材で補強してもよい。
【００４０】
そして、この内側用部分かつら１０の利用者は髪の毛を失った人に限定されるものではない。簡単に本来の自分の髪型とは異なったヘアスタイルに変えたい人が着用してもよい。例えば、子供、大人、お年寄りなど年齢を問わず着用してもよいし、縮れ毛に悩む人種の人が着用してもよいし、位置ずれが生じにくい特徴を活かして激しい運動をする人が着用してもよい。
【符号の説明】
【００４１】
１０  内側用部分かつら
１    伸縮性を有した輪状テープ
２    後髪つけ毛
３    前髪つけ毛
４    拡幅つけ毛
５    着脱部品
６    着脱部品を覆う布片
７    帽子
８    バンダナ
【図１】
0003208010.tif 000003
【図２】
0003208010.tif 000004
【図３】
0003208010.tif 000005